(57)【要約】  【課題】  運動用具を容易に見付けることができる運動用具探索システム、及び、容易に見付けることができる運動用具を提供する。  【解決手段】  送信装置１０の受付手段（操作部）１２が所定信号の送信指示を受付けた場合、送信装置１０の送信手段（送信部）１４は前記所定信号を送信する。送信された前記所定信号を、スキー板などの運動用具に取付けられた受信装置２０の受信手段（受信部）２２が受信した場合、受信装置２０の出力手段（報知部）２４は音又は光を出力する。【選択図】      図１
2006055346.tif 000002
【特許請求の範囲】
【請求項１】
運動用具に取付けられ、信号を無線受信する受信手段、該受信手段が所定信号を受信した場合に音又は光を出力する出力手段、ならびに、前記受信手段及び前記出力手段への給電を行う給電手段を有する受信装置と、
前記所定信号の送信指示を受付ける受付手段、及び、該受付手段が前記送信指示を受付けた場合に前記所定信号を無線送信する送信手段を有する送信装置と
を備えることを特徴とする運動用具探索システム。
【請求項２】
前記給電手段は、光エネルギを電気エネルギに変換する変換手段と、該変換手段が変換した電気エネルギを蓄電する蓄電手段とを備えることを特徴とする請求項１記載の運動用具探索システム。
【請求項３】
前記給電手段は、振動エネルギを電気エネルギに変換する変換手段と、該変換手段が変換した電気エネルギを蓄電する蓄電手段とを備えることを特徴とする請求項１記載の運動用具探索システム。
【請求項４】
前記運動用具はスキー板又はスノーボードであることを特徴とする請求項１乃至３の何れか１つに記載の運動用具探索システム。
【請求項５】
前記受信装置はスキー板又はスノーボードのビンディングに取付けられていることを特徴とする請求項４記載の運動用具探索システム。
【請求項６】
信号を無線受信する受信手段、該受信手段が所定信号を受信した場合に音又は光を出力する出力手段、ならびに、前記受信手段及び前記出力手段への給電を行う給電手段を備える受信装置が取付けられていることを特徴とする運動用具。
【発明の詳細な説明】
【技術分野】
【０００１】
本発明は、送信装置及び受信装置を備える運動用具探索システム、及び、受信装置が取付けられた運動用具に関する。
【背景技術】
【０００２】
スキーにおいては、各プレーヤーが２枚のスキー板及び２本のスティックを使用してプレーする。そして、食事などで休息する場合、又は、プレーを終了する場合などは、置き場所にスキー板及びスティックを置く。
【０００３】
また、スキーにおいて、プレーヤーの移動に対し、所定の地点を通過したことを検出し、プレーヤーの移動状況を監視する方法が提案されている（例えば、特許文献１参照）。
【特許文献１】特開平６−２４３３１７号公報
【発明の開示】
【発明が解決しようとする課題】
【０００４】
上述した置き場所には、多数のプレーヤのスキー板が置かれている。また、食事の時間帯、又は、朝夕の時間帯などは、置き場所が混雑する場合が多い。このように置き場所が混雑している場合、自分のスキー板を見つけるのは困難という問題がある。
【０００５】
また、プレー中にプレーヤが転倒した場合、スキー板が外れる場合がある。外れたスキー板は、例えば雪に埋もれるなどして、見つけるのが困難という問題がある。そのため、外れたスキー板を発見できずに紛失する場合も多い。また、このような問題は、スノーボードにおいても生じている。
【０００６】
なお、上述したプレーヤーの移動状況を監視する方法は、移動体管理装置の近傍のスティックなどを検出しているため、検出範囲は移動体管理装置の近傍に制限されており、任意位置のスティックなどの検出は行えない。
【０００７】
本発明は斯かる事情に鑑みてなされたものであり、運動用具に取付けられ、信号を無線受信する受信手段、該受信手段が所定信号を受信した場合に音又は光を出力する出力手段、ならびに、前記受信手段及び前記出力手段への給電を行う給電手段を有する受信装置と、前記所定信号の送信指示を受付ける受付手段、及び、該受付手段が前記送信指示を受付けた場合に前記所定信号を無線送信する送信手段を有する送信装置とを備えることにより、運動用具を容易に見付けることができる運動用具探索システムを提供することを目的とする。
【０００８】
また、本発明は、光エネルギを電気エネルギに変換する変換手段と、該変換手段が変換した電気エネルギを蓄電する蓄電手段とを備えることにより、電池交換などの給電に関するメンテナンスをなくし、利便性を向上させることができる運動用具探索システムを提供することを他の目的とする。
【０００９】
また、本発明は、振動エネルギを電気エネルギに変換する変換手段と、該変換手段が変換した電気エネルギを蓄電する蓄電手段とを備えることにより、電池交換などの給電に関するメンテナンスをなくし、利便性を向上させることができる運動用具探索システムを提供することを他の目的とする。
【００１０】
また、本発明は、スキー板又はスノーボードに前記受信装置を取付けることにより、スキー板又はスノーボードを容易に見付けることができる運動用具探索システムを提供することを他の目的とする。
【００１１】
また、本発明は、受信装置をスキー板又はスノーボードのビンディングに取付けることにより、受信装置を取付けたことによる影響を最小限に抑えることができる運動用具探索システムを提供することを他の目的とする。
【００１２】
また、本発明は、信号を無線受信する受信手段、該受信手段が所定信号を受信した場合に音又は光を出力する出力手段、ならびに、前記受信手段及び前記出力手段への給電を行う給電手段を備える受信装置を取付けることにより、容易に見付けることができる運動用具を提供することを他の目的とする。
【課題を解決するための手段】
【００１３】
本発明に係る運動用具探索システムは、運動用具に取付けられ、信号を無線受信する受信手段、該受信手段が所定信号を受信した場合に音又は光を出力する出力手段、ならびに、前記受信手段及び前記出力手段への給電を行う給電手段を有する受信装置と、前記所定信号の送信指示を受付ける受付手段、及び、該受付手段が前記送信指示を受付けた場合に前記所定信号を無線送信する送信手段を有する送信装置とを備えることを特徴とする。
【００１４】
本発明に係る運動用具探索システムは、前記給電手段は、光エネルギを電気エネルギに変換する変換手段と、該変換手段が変換した電気エネルギを蓄電する蓄電手段とを備えることを特徴とする。
【００１５】
本発明に係る運動用具探索システムは、前記給電手段は、振動エネルギを電気エネルギに変換する変換手段と、該変換手段が変換した電気エネルギを蓄電する蓄電手段とを備えることを特徴とする。
【００１６】
本発明に係る運動用具探索システムは、前記運動用具はスキー板又はスノーボードであることを特徴とする。
【００１７】
本発明に係る運動用具探索システムは、前記受信装置はスキー板又はスノーボードのビンディングに取付けられていることを特徴とする。
【００１８】
本発明に係る運動用具は、信号を無線受信する受信手段、該受信手段が所定信号を受信した場合に音又は光を出力する出力手段、ならびに、前記受信手段及び前記出力手段への給電を行う給電手段を備える受信装置が取付けられていることを特徴とする。
【００１９】
本発明においては、送信装置の受付手段が所定信号の送信指示を受付けた場合、送信装置の送信手段は前記所定信号を送信する。送信された所定信号を、運動用具に取付けられた受信装置の受信手段が受信した場合、受信装置の出力手段は音又は光を出力する。出力された音又は光により、前記運動用具を容易に見付けることができる。
【００２０】
本発明においては、太陽光などの光エネルギをソーラーパネルなどの変換手段で電気エネルギに変換し、二次電池などの蓄電手段に蓄電し、蓄電手段から受信手段及び出力手段への給電を行う。太陽光などの光エネルギを使用して給電を行うため、電池交換などの給電に関するメンテナンスは不要となり、利便性が向上する。
【００２１】
本発明においては、振動エネルギを圧電素子などの変換手段で電気エネルギに変換し、二次電池などの蓄電手段に蓄電し、蓄電手段から受信手段及び出力手段への給電を行う。振動エネルギを使用して給電を行うため、電池交換などの給電に関するメンテナンスは不要となり、利便性が向上する。
【００２２】
本発明においては、スキー板又はスノーボードに前記受信装置が取付けられているため、受信装置から出力される音又は光により、例えば置き場所の多数のスキー板又はスノーボードの中から自分のスキー板又はスノーボードを見つけたり、転倒して雪に埋もれたスキー板又はスノーボードを見つけること等ができる。
【００２３】
本発明においては、スキー靴を留めるビンディングに受信装置を取付けているため、例えば受信装置をスキー板の先端側に取付けたことによる前後の重量バランスの変化などを最小限に抑えることができるなど、受信装置を取付けたことによる影響を最小限に抑えることができる。
【発明の効果】
【００２４】
本発明によれば、運動用具を容易に見付けることができる。
【００２５】
本発明によれば、電池交換などの給電に関するメンテナンスをなくし、利便性を向上させることができる。
【００２６】
本発明によれば、スキー板又はスノーボードを容易に見付けることができる。
【００２７】
本発明によれば、受信装置を取付けたことによる影響を最小限に抑えることができる。
【発明を実施するための最良の形態】
【００２８】
以下、本発明をその実施の形態を示す図面に基づいて具体的に説明する。
図１は本発明に係る運動用具探索システムの一例を示すブロック図である。運動用具探索システムは、送信装置１０と受信装置２０とを備える。また、図２（ａ）は送信装置１０の一例を示す斜視図であり、図２（ｂ）は受信装置の一例を示す斜視図である。
【００２９】
送信装置１０は、押しボタンスイッチなどの操作部（受付手段）１２と、ボタン電池、乾電池、又は蓄電池などの電源部（以下、送信電源部という）１６と、電波などを用いて所定信号を送信する送信部（送信手段）１４とを備える。操作部１２は送信電源部１６に接続されており、送信電源部１６は送信部１４に接続されている。操作部１２は、送信電源部１６から送信部１４への給電のオン／オフを切換えるスイッチとして動作する。よって、操作部２０が押しボタンスイッチの押下などの送信指示を受付けた場合、送信電源部１６から送信部１４へ給電が行われ、送信部１４は所定信号を送信する。
【００３０】
受信装置２０は、電波などを用いて送信装置１０から送信された所定信号を受信する受信部（受信手段）２２と、太陽電池などの電源部（以下、受信電源部という）２６と、ブザーを備える報知部（出力手段）２４とを備える。受信電源部（給電手段）２６は、光エネルギを電気エネルギに変換するソーラーパネル（変換手段）２６ａと、ソーラーパネル２６ａで変換された電気エネルギを蓄電する蓄電池（蓄電手段）２６ｂとを備え、蓄電池２６ｂから給電を行うことが可能である。受信部２２は受信電源部２６に接続されて常時給電されており、報知部２４は受信電源部２６に接続されている。受信部２２は、前記所定信号を受信する受信器と、前記所定信号の受信に応じて受信電源部２６から報知部２４への給電のオン／オフを切換えるスイッチとして動作する。よって、受信部２２が前記所定信号を受信した場合、受信電源部２６から報知部２４へ給電が行われ、報知部２４は音を出力する。
【００３１】
図２（ｃ）は受信装置２０が取付けられたスキー板（運動用具）の一例を示す側面図である。スキー板３０は、表面に、スキー靴を留めるビンディング３２を有する。そして、表面に受信装置２０が埋込まれている。ただし、受信装置２０は、ソーラーパネル２６ａが外側になるように埋め込まれている。また、受信装置２０は、例えば板状などの薄型にすることが好ましい。
【００３２】
送信装置１０は、スキー板３０を使用するプレーヤが持っており、プレーヤが置き場所又は転倒した場所でスキー板３０の場所がわからなくなった場合、押しボタンスイッチを押下するなどして操作部１２に送信指示を与える。操作部１２が送信指示を受付けることにより、送信電源部１６から送信部１４へ給電が行われ、送信部１４から所定信号が送信される。
【００３３】
送信装置１０から送信された所定信号は受信装置２０の受信部２２で受信される。受信部２２が前記所定信号を受信することにより、受信電源部２６から報知部２４へ給電が行われ、報知部２４から音が出力される。プレーヤは、受信装置２０から出力される音により、スキー板３０を見付けることができる。
【００３４】
上述した実施の形態においては、受信装置２０は、スキー板３０に埋め込まれているが、受信装置２０はスキー板３０の任意箇所に埋め込むことが可能である。図３は、受信装置２０が取付けられたスキー板の他の例を示す側面図である。図３（ａ）の例では、受信装置２０は、ビンディング３２に埋込まれている。また、受信装置２０は、スキー板３０に埋込む以外に、例えば両面テープ又は接着剤などを用いてスキー板３０に貼着するなど、任意の方法で取付けることが可能である。図３（ｂ）、（ｃ）は、受信装置２０が取付けられたスキー板の更に他の例を示す側面図である。図３（ｂ）の例では、受信装置３０はスキー板３０の表面に貼着されており、図３（ｃ）の例では、受信装置３０はビンディング３２の表面に貼着されている。ただし、受信装置２０は、ソーラーパネル２６ａが外側になるように貼着されている。受信装置２０を貼着する場合は、任意のスキー板に受信装置２０を後付けすることが可能となる。
【００３５】
また、上述した各実施の形態においては、受信電源部２６にソーラーパネル２６ａを用いたが、ソーラーパネル２６ａ（太陽電池）に限定はされず、例えば振動により発電する電池を用いたり、ボタン電池を用いるなど、任意の電池を用いることが可能である。振動により発電する電池を用いる場合は、ソーラーパネル２６ａの代わりに、例えば圧電素子により振動エネルギを電気エネルギに変換する変換手段を受信装置２０内に設け、変換された電気エネルギを蓄電池２６ｂに蓄電することが可能である。振動エネルギを電気エネルギに変換する場合は、天候に左右されずに電気エネルギを蓄電することが可能である。また、ボタン電池を用いる場合は、例えばソーラーパネル２６ａ部分を蓋にして、該蓋を開けて蓄電池２６ｂの代わりにボタン電池を装着することが可能である。
【００３６】
上述した各実施の形態においては、報知部２４はブザーを備え、音を出力したが、ブザーの代わりに、例えばＬＥＤなどを備え、光を出力することも可能である。また、音と光の両方を出力することも可能である。なお、出力する音の種類もしくは音量、又は、出力する光の色又は明るさなどは任意に設定することが可能である。
【００３７】
また、上述した実施の形態においては、スキー板を例にして説明したが、スキー板に限定はされず、スノーボード又はスケートボードなどの任意の滑走系運動用具又はその他の任意の運動用具、又は、運動用具を収納する任意のケースに本発明に係る受信装置を取付けることが可能である。
【００３８】
また、送信装置１０は、例えば携帯電話と一体化し、携帯電話に所定操作を行うことにより、携帯電話から受信装置２０へ所定信号を送信することも可能である。
【図面の簡単な説明】
【００３９】
【図１】本発明に係る運動用具探索システムの一例を示すブロック図である。
【図２】（ａ）は送信装置の一例を示す斜視図であり、（ｂ）は受信装置の一例を示す斜視図であり、（ｃ）は受信装置が取付けられたスキー板の一例を示す側面図である。
【図３】受信装置が取付けられたスキー板の他の例を示す側面図である。
【符号の説明】
【００４０】
１０  送信装置
１２  操作部
１４  送信部
１６  送信電源部
２０  受信装置
２２  受信部
２４  報知部
２６  受信電源部
２６ａ  ソーラーパネル
２６ｂ  蓄電池
３０  スキー板
３２  ビンディング
【図１】
2006055346.tif 000003
【図２】
2006055346.tif 000004
【図３】
2006055346.tif 000005